(57)【特許請求の範囲】
【請求項１】
埋設管とハンドホール構造体の貫通孔部とを接続するハンドホール継手であって、
前記ハンドホール継手が、内側筒状体と外側筒状体と筒状可とう体とを備えており、前記内側筒状体及び前記外側筒状体が、前記貫通孔部の径よりも小さい外径及び前記埋設管の外径よりも大きい内径を有しており、前記内側筒状体が前記貫通孔部に固定される内側固定部を有しており、前記内側筒状体と前記外側筒状体とが係止するようにされており、前記外側筒状体が前記貫通孔部に固定される外側固定部を有しており、前記筒状可とう体が、前記外側筒状体の前記外側固定部に固定される筒状体固定部と、前記埋設管に固定される管固定部とを有しており、前記貫通孔部内に挿入される前記内側筒状体と前記外側筒状体との係止、前記筒状体固定部の前記外側筒状体への固定、及び前記管固定部の前記埋設管への固定によって、前記埋設管と前記ハンドホール構造体とが接続されることを特徴とするハンドホール継手。
【請求項２】
前記筒状可とう体の前記筒状体固定部が前記外側筒状体に予め固定されていることを特徴とする請求項１記載のハンドホール継手。
【請求項３】
前記内側筒状体の前記内側固定部が内側フランジ部であり、前記外側筒状体の前記外側固定部が外側フランジ部であり、前記内側フランジ部が前記ハンドホール構造体の内壁面に接し、前記外側フランジ部が前記ハンドホール構造体の外壁面に固定され、前記筒状可とう体の前記筒状体固定部が前記外側フランジ部に固定されることを特徴とする請求項１又は２記載のハンドホール継手。
【請求項４】
前記内側筒状体の前記内側固定部が内側フランジ部であり、前記外側筒状体の前記外側固定部が外側フランジ部であり、前記内側フランジ部が前記ハンドホール構造体の内壁面に接し、前記筒状可とう体の前記筒状体固定部が前記外側フランジ部の内側に設けられ、前記筒状体固定部が前記ハンドホール構造体の外壁面に接することを特徴とする請求項１又は２記載のハンドホール継手。
【請求項５】
前記外側フランジ部の内側に、止水層が設けられており、前記止水層が止水突起を有しており、前記止水突起が、弾性体、水膨張性ゴム及びブチルゴム系粘着材からなる群より選ばれる少なくとも1種の材料から形成されており、前記止水突起が、前記内側筒状体と前記外側筒状体との係止によって、前記ハンドホール構造体の外壁面と前記外側フランジ部との間で圧縮変形を受けており、前記止水層が前記ハンドホール構造体の外壁面に密接することを特徴とする請求項３又は４記載のハンドホール継手。
【請求項６】
前記内側筒状体がストッパー部及び係止部を有しており、前記ストッパー部が前記埋設管の挿入端部を受け止め、前記係止部が前記埋設管の抜けを防止することを特徴とする請求項１〜５のいずれか一項記載のハンドホール継手。
【請求項７】
前記管固定部の内側に、水密用パッキンが設けられており、前記管固定部が締結バンドによって締め付けられる際、前記水密用パッキンが前記管固定部及び前記埋設管に密着することを特徴とする請求項１〜６のいずれか一項記載のハンドホール継手。
【請求項８】
前記内側筒状体の外面に、オネジ部又はメネジ部が設けられており、前記外側筒状体の内面に、メネジ部又はオネジ部が設けられており、前記内側筒状体及び前記外側筒状体が螺合するか、又は前記内側筒状体の内面に、オネジ部又はメネジ部が設けられており、前記外側筒状体の外面に、メネジ部又はオネジ部が設けられており、前記内側筒状体及び前記外側筒状体が螺合することを特徴とする請求項１〜７のいずれか一項記載のハンドホール継手。
【請求項９】
前記筒状可とう体に、前記埋設管の動きに追従できる蛇腹部が設けられていることを特徴とする請求項１〜８のいずれか一項記載のハンドホール継手。
【発明の詳細な説明】
【０００１】
【発明の属する技術分野】
本発明は、埋設管とハンドホール構造体とを接続するハンドホール継手に関する。
【０００２】
【従来の技術】
主として、電線や光ケーブル等を地中に埋設し、敷設する場合、電線等を土圧から保護するケーブル保護管が用いられる。
【０００３】
また、かかるケーブル保護管を地中に埋設し敷設する場合には、ケーブルの中継地として、ハンドホール構造体が設置される。
【０００４】
かかるハンドホール構造体と、ケーブル保護管とは、ハンドホール構造体の削孔部分で接続固定され、ハンドホール構造体内では、電線や光ケーブルが分岐や再配線される。
【０００５】
図7は、従来のケーブル保護管とハンドホール構造体との接続構造５１を示す斜視図である。図８は、かかる接続構造の部分的な縦断面図である。図７に示すように、ハンドホール構造体５２は、工場で箱型のコンクリート製のものとして作製されるのが一般的である。
【０００６】
ハンドホール構造体５２には、ケーブル保護管５３用の削孔をホルソー等で穿孔するか、又は型枠にボイド等をセットし、成型時に貫通孔を仕上げる方法等で、必要な位置に、必要数のケーブル保護管用貫通孔５４が設けられる。ホルソー等による穿孔は、工事現場で行われる場合がある。
【０００７】
かかる従来の接続構造の施工においては、地面を所要深さに開削し、所定の位置にハンドホール構造体５２を据え付け、ケーブル保護管５３を接続部の貫通孔５４に挿入し、連結固定する。
【０００８】
従来、ハンドホール構造体５２とケーブル保護管５３とを接続連結するには、図８に示すように、ハンドホール構造体５２の側壁の貫通孔５４と、挿入したケーブル保護管５３との隙間に、モルタル５５を注入充填し、固化させ、ハンドホール構造体５２とケーブル保護管５３との固定及び止水を行なっていた。なお、ハンドホール構造体５２の内側には、ケーブル保護管５３の抜け防止のため、ベルマウス５６が用いられる。
【０００９】
【発明が解決しようとする課題】
従来のモルタル注入によるケーブル保護管の接続手段においては、モルタル注入作業に経験を必要とし、止水状態を確保する必要から時間と手間を要した。
【００１０】
また、モルタルが硬化するまで静置する必要があるため、ハンドホール構造体とケーブル保護管とが接続できても、直ちに、ケーブル保護管内に、電線や光ケーブル等の配線作業を行うことはできなかった。
【００１１】
さらに、モルタルによる接続は、剛接合であるため、地震や地盤沈下等で、ケーブル保護管とハンドホール構造体の相対位置が変化した場合には、かかる変位が吸収されず、モルタルにクラックが発生し地下水が侵入したり、ケーブル保護管が損傷する等の欠点があった。
【００１２】
本発明の課題は、従来の埋設管とハンドホール構造体との接続手段が有する問題を解消し、ハンドホール構造体と埋設管との取付作業を容易に行えるハンドホール継手を得ることである。
また、本発明の課題は、取り付け後の地震や地盤沈下等で埋設管とハンドホール構造体との相対位置が変化した場合に、埋設管の変位を吸収したり、水密性を維持できる、ハンドホール継手を得ることである。
【００１３】
【課題を解決するための手段】
本発明は、埋設管とハンドホール構造体の貫通孔部とを接続するハンドホール継手であって、前記ハンドホール継手が、内側筒状体と外側筒状体と筒状可とう体とを備えており、前記内側筒状体及び前記外側筒状体が、前記貫通孔部の径よりも小さい外径及び前記埋設管の外径よりも大きい内径を有しており、前記内側筒状体が前記貫通孔部に固定される内側固定部を有しており、前記内側筒状体と前記外側筒状体とが係止するようにされており、前記外側筒状体が前記貫通孔部に固定される外側固定部を有しており、前記筒状可とう体が、前記外側筒状体の前記外側固定部に固定される筒状体固定部と、前記埋設管に固定される管固定部とを有しており、前記貫通孔部内に挿入される前記内側筒状体と前記外側筒状体との係止、前記筒状体固定部の前記外側筒状体への固定、及び前記管固定部の前記埋設管への固定によって、前記埋設管と前記ハンドホール構造体とが接続されることを特徴とするハンドホール継手に係るものである。
【００１４】
本発明は、所定のハンドホール継手を用いることにより、ハンドホール構造体と埋設管との接続が簡便になり、かかる接続が柔結合となるという知見に基づくものである。
【００１５】
本発明のハンドホール継手は、内側筒状体と外側筒状体と筒状可とう体とを備える。かかる内側筒状体及び外側筒状体は、ハンドホール構造体の貫通孔部の径よりも小さい外径及び埋設管の外径よりも大きい内径を有している。
【００１６】
本発明では、内側筒状体と外側筒状体とをハンドホール構造体の貫通孔部に挿入し、内側筒状体と外側筒状体とを係止させ、埋設管を内側筒状体と外側筒状体の内部に挿入し、筒状可とう体を外側筒状体と埋設管とに固定することにより、ハンドホール構造体と埋設管とを接続することができる。
【００１７】
本発明によれば、内側筒状体と外側筒状体とが係止し、筒状可とう体が外側筒状体と埋設管とを接続するので、ハンドホール構造体と埋設管との接続が簡便になり、かかる筒状可とう体が埋設管とハンドホール構造体との相対的な位置変化を吸収することができる。
【００１８】
【発明の実施の形態】
本発明を実施の形態により詳細に説明する。
（１）ハンドホール構造体
本発明にかかるハンドホール構造体は、埋設管の中継地として設置される。かかるハンドホール構造体の材質、形状等は、特に制限されない。但し、内側筒状体と外側筒状体とを螺合させる際、螺合の障害とならない形状が必要である。かかるハンドホール構造体は、工場で箱型のコンクリート製のものとして作製されるのが一般的である。
【００１９】
かかるハンドホール構造体は、地面を所要深さに開削し、所定の位置に据え付けられる。また、かかるハンドホール構造体には、埋設管が、ハンドホール構造体の接続部の貫通孔部に挿入され、連結固定される。
【００２０】
（１−１）孔
ハンドホール構造体には、必要な位置に、必要数の埋設管用の貫通孔部が設けられる。埋設管用の貫通孔部は、ホルソー等で穿孔して貫通孔とするか、又は型枠にボイド等をセットし、成型時に貫通孔を仕上げる方法等によって作製することができる。ホルソー等による穿孔は、工事現場で行われる場合がある。
【００２１】
（２）埋設管
本発明にかかる埋設管は、ケーブル保護管等の種々の管体を用いることができる。かかる埋設管の材質、形状等は、特に制限されない。かかる埋設管は、ハンドホール構造体と接続される部分以外は、直接地中に埋設されるため、土圧に耐える程度の強度が求められる。
【００２２】
埋設管の外形には、螺旋凹凸波形状又は独立リング凹凸波形状を良好に用いることができる。本発明のハンドホール継手では、かかるタイプの埋設管を対象とするが、平滑な形状の管体も用いることができる。
【００２３】
（３）ハンドホール継手
本発明のハンドホール継手は埋設管とハンドホール構造体とを接続する。かかるハンドホール継手は内側筒状体と外側筒状体と筒状可とう体とを備えている。
【００２４】
（４）内側筒状体
本発明にかかる内側筒状体は、埋設管とハンドホール構造体とを接続する際、ハンドホール構造体の埋設管接続用の貫通孔部内に挿入され、挿入された内側筒状体の内部に、埋設管が挿入される。
【００２５】
かかる内側筒状体は、外径がハンドホール構造体の貫通孔の径より小さく、内径が埋設管の外径よりも大きい。ここで、筒状とは、外周部と外周部に囲まれた内部空間を有する形状をいう。内部空間は、断面で見て、円形、三角形、四角形等の多角形、種々に変形し得る形状のものでよい。
【００２６】
（４−１）内側固定部
かかる内側筒状体には、内側固定部を設ける。かかる内側固定部は、内側筒状体がハンドホール構造体の貫通孔部に固定される部分である。
【００２７】
かかる内側固定部は、内側筒状体の一方の端部に内側フランジ部として設けることができる。かかる内側フランジ部は、ハンドホール構造体の貫通孔の径より大きい径を有し、埋設管とハンドホール構造体とを接続する際、ハンドホール構造体の内壁面に接する。
【００２８】
かかる内側フランジ部付きの内側筒状体は、ハンドホール構造体の貫通孔に、ハンドホール構造体の内側から挿入され、埋設管がその内部に挿入される。
【００２９】
（４−２）係止構造
かかる内側筒状体は、外側筒状体と係止する構造部分を有する。かかる構造部分は、内側筒状体の他方の端部に、挿入部又は受け固定部、凸部又は凹部を設けることによって得ることができる。かかる挿入部又は受け固定部、凸部又は凹部は、対応する外側筒状体の受け固定部又は挿入部、凹部又は凸部との間で、係止又は嵌合することができる。
【００３０】
また、かかる構造部分は、内側筒状体の他方の端部の外面又は内面で、外側筒状体の一方の端部の内面又は外面と螺合する部分を設けることで得ることができる。かかる螺合構造は、内側筒状体の内面にメネジ部又はオネジ部を設け、外側筒状体の外面に対応するオネジ部又はメネジ部を設けたり、又は内側筒状体の外面にメネジ部又はオネジ部を設け、外側筒状体の内面に対応するオネジ部又はメネジ部を設けることで得ることができる。
【００３１】
（４−３）材質
内側筒状体の材質は、特に制限されるものではないが、腐食し難いステンレス鋼材、亜鉛メッキ鋼材や、硬質塩化ビニル、ＡＢＳ、ナイロン、ＦＲＰ等のプラスチック材料からなる群より選ぶことができる。
【００３２】
（４−４）ストッパー部
本発明にかかる内側筒状体には、ストッパー部を設けることができる。かかるストッパー部は、埋設管を挿入する際、埋設管の挿入端部を受け止める働きをする。また、かかるストッパー部は、埋設管の挿入端部を位置決めするように機能する。
【００３３】
かかるストッパー部は、内側筒状体の一方の端部において内面に向かって突出する突出部でよい。かかる突出部は、ハンドホール構造体の内側開口部の径を埋設管の外径よりも小さくし、埋設管の挿入端部を受け止めることができる。
【００３４】
（４−５）係止部
本発明にかかる内側筒状体には、係止部を設けることができる。かかる係止部は、挿入された埋設管が抜けてしまうのを防止する。
【００３５】
かかる係止部は、爪等のようなものとすることができる。かかる爪は、埋設管が、リブ付き管、蛇腹部を有する管等の場合、リブや蛇腹等の谷の部分に係止される。
【００３６】
（５）外側筒状体
本発明にかかる外側筒状体は、埋設管とハンドホール構造体とを接続する際、ハンドホール構造体の貫通孔部内に挿入され、埋設管が、挿入された外側筒状体の内部に挿入される。かかる外側筒状体は、外径がハンドホール構造体の貫通孔の径より小さく、内径が埋設管の外径より大きい。
【００３７】
（５−１）係止構造
かかる外側筒状体は、内側筒状体と係止する構造部分を有する。かかる構造部分は、外側筒状体の一方の端部に、挿入部又は受け固定部、凸部又は凹部を設けることによって得ることができる。かかる挿入部又は受け固定部、凸部又は凹部は、対応する内側筒状体の受け固定部又は挿入部、凹部又は凸部との間で、係止又は嵌合することができる。
【００３８】
また、かかる構造部分は、外側筒状体の一方の端部の外面又は内面で、内側筒状体の他方の端部の内面又は外面と螺合する部分を設けることで得ることができる。
【００３９】
かかる螺合構造は、内側筒状体の内周面又は外周面のメネジ構造又はオネジ構造に対応し、外側筒状体の外周面又は内周面にオネジ構造又はメネジ構造を設けることで得ることができる。
【００４０】
（５−２）外側固定部
本発明にかかる外側筒状体には、外側固定部を設ける。かかる外側固定部は、外側筒状体がハンドホール構造体の貫通孔部に固定される部分である。
【００４１】
かかる外側固定部は、外側筒状体の他方の端部に外側フランジ部として設けることができる。かかる外側フランジ部は、ハンドホール構造体の貫通孔の径より大きい径を有し、埋設管とハンドホール構造体とを接続する際、ハンドホール構造体の外壁面に固定することができる。
【００４２】
かかる外側フランジ部付き外側筒状体は、埋設管とハンドホール構造体とを接続する際、貫通孔内に、ハンドホール構造体の外側から挿入され、その内部に埋設管が挿入される。
【００４３】
（５−３）止水層
かかる外側フランジ部の内側、すなわちハンドホール構造体の外壁面側には、止水層を設けることができる。かかる止水層は、外側フランジ部とハンドホール構造体の外壁面との間を水密に保つことができる。
【００４４】
（５−４）止水突起
かかる止水層は、止水突起を備えることができる。かかる止水突起は、外側フランジ部とハンドホール構造体の外壁面との間をより一層水密に保つことができる。
【００４５】
止水突起は、種々の材料から形成することができる。例えば、止水突起は、弾性体、水膨張性ゴム及びブチルゴム系粘着材からなる群より選ばれる少なくとも1種の材料から形成することができる。
【００４６】
かかる止水突起は、内側筒状体と外側筒状体との係止によって、ハンドホール構造体の外壁面と外側フランジ部との間で圧縮変形を受け、止水層がハンドホール構造体の外壁面に密接する。
【００４７】
かかる止水突起は、ハンドホール構造体の外壁面側に向かって突出しているのが好ましい。かかる止水突起は、凹凸を有する外壁面と、より一層高い密着性を示す。
【００４８】
（６）筒状可とう体
本発明にかかる筒状可とう体は、外側筒状体の外側固定部に固定される筒状体固定部と、埋設管に固定される管固定部とを有している。
【００４９】
（６−１）材質
筒状可とう体の材質は、ＳＢＲ、ＥＰＤＭ、ＣＲ等の合成ゴムや、天然ゴム、又は軟質塩化ビニルや、熱可塑性プラスチック等の弾性材料からなる群より選ぶことができる。本発明にかかる筒状可とう体は、それ自体で、コンクリート製のハンドホール構造体の壁面や埋設管等の表面と密着し水密性を発揮することができる。
【００５０】
（６−２）筒状体固定部
かかる筒状可とう体の筒状体固定部は、埋設管とハンドホール構造体とを接続する前に、予め外側筒状体の外側固定部に固定することができる。
【００５１】
また、かかる筒状体固定部は、外側筒状体の外側フランジ部の内側、すなわちハンドホール構造体の外壁面側に設けることができる。
【００５２】
このようにして、埋設管とハンドホール構造体とを接続する場合、筒状可とう体の内面は外側フランジ部を覆うようになり、筒状可とう体の筒状体固定部がハンドホール構造体の外壁面に接する。
【００５３】
かかる筒状体固定部とハンドホール構造体の外壁面との間には、前述したような止水突起付きの止水層を設けることができる。かかる止水層は、筒状可とう体の筒状体固定部と一体に形成してもよい。
【００５４】
（６−３）管固定部
本発明にかかる筒状可とう体の管固定部は埋設管の外周に固定される。かかる管固定部の固定には、種々の手段を用いることができる。
【００５５】
（６−４）締結バンド
本発明では、管固定部と埋設管とを、埋設管の挿入口付近において、外部から締付け止水するために、締結バンドを用いることができる。
【００５６】
かかる締結バンドは、ステンレス鋼材、亜鉛メッキ鋼材等の腐食し難い金属材料からなるものが望ましい。
【００５７】
また、本発明では、かかる管固定部と埋設管との間に、前述した止水突起付きの止水層を設けることができる。かかる止水層は、管固定部と埋設管との間の水密性を高めることができる。
【００５８】
（６−５）水密用パッキン
また、かかる管固定部と埋設管の間には、水密用パッキンを設けることができる。かかる水密用パッキンは、埋設管の外側形状に合わせた内側形状と、管固定部の内側形状に合わせた外側形状とを有するように形成することができる。
【００５９】
かかる水密用パッキンは、筒状可とう体の管固定部と埋設管とを締結バンドによって締め付けることによって、管固定部及び埋設管に密着する。
【００６０】
本発明にかかる水密用パッキンは、軟質ゴム等のゴム、ウレタン等のスポンジ、ブチルゴム系シール材、液状ゴム等の軟質成形品、ポリエチレン発泡体等からなる群より選ぶ材質から形成することができる。
【００６１】
（６−６）蛇腹部
本発明にかかる筒状可とう体には、接続後の埋設管の動きに追従できる蛇腹部を設けることができる。かかる蛇腹部は、種々の形状で設けることができる。
【００６２】
図面を参照して、本発明をより一層詳細に説明する。
図１は本発明の一例のハンドホール継手を用いた接続構造の縦断面図である。図２は本発明にかかる一例の内側筒状体の部分縦断面図である。図３は本発明にかかる一例の外側筒状体の部分縦断面図である。図４は本発明にかかる一例の筒状可とう体の部分縦断面図である。
【００６３】
図５（ａ）は本発明にかかる一例の水密用パッキンの部分縦断面図であり、図５（ｂ）は図５（ａ）の水密用パッキンの部分横断面図である。図６（ａ）は本発明にかかる一例の締結バンドの側面図であり、図６（ｂ）は図６（ａ）の締結バンドの正面図である。
【００６４】
図１は、本発明のハンドホール継手１をハンドホール構造体２に使用して製造した、接続構造３を示すものである。
【００６５】
ハンドホール継手１は、ハンドホール構造体２の貫通孔部２ａに、ケーブル保護管４を接続するときに用いる。ハンドホール継手１は、内側筒状体５、外側筒状体６及び筒状可とう体７とを備えている。
【００６６】
接続構造３では、内側筒状体５はハンドホール構造体２の貫通孔部２ａの内側から挿入されている。内側筒状体５は一方の端部に内側フランジ部５ａを有している。また、内側筒状体５は、他方の端部の内面に、メネジ部５ｂを有する。
【００６７】
内側筒状体５は、図２に詳細に示すように、内側フランジ部５ａで、ハンドホール構造体２の削孔部２ａの内壁面２ｂの周辺に係止される。ストッパー部５ｃはケーブル保護管４の先端部４ａを位置決めし、係止部５ｄはケーブル保護管４の凸部４ｂに係止され、ケーブル保護管４を固定する。メネジ部５ｂは、外側筒状体６のオネジ部６ｂに係止し、ネジ込み固定される。
【００６８】
外側筒状体６はハンドホール構造体２の貫通孔部２ａの外側から挿入される。外側筒状体６は、図３に詳細に示すように、一方の端部にオネジ部６ｂを有しており、オネジ部６ｂは内側筒状体６のメネジ部５ｂとねじ込み螺合される。
【００６９】
外側筒状体６は他方の端部に外側フランジ部６ａを有する。内側フランジ部５ａと外側フランジ部６ａは、内側筒状体５のメネジ部５ｂと外側筒状体６のオネジ部６ｂとが螺合することにより、ハンドホール構造体２の内壁面２ｂ及び外壁面２ｃにそれぞれ接する。
【００７０】
筒状可とう体７は筒状体固定部７ａと管固定部７ｂとを有している。筒状体固定部７ａは外側筒状体６の外側フランジ部６ａとハンドホール構造体２の外壁面２ｃの間に位置する。
【００７１】
筒状可とう体７は、図４に詳細に示すように、止水層８と一体となった筒状体固定部７ａと、蛇腹部７ｃと、管固定部７ｂとから構成することができる。止水層８は止水突起８ａを有している。
【００７２】
筒状可とう体７の管固定部７ｂの内側には、水密用パッキン９が設けられている。管固定部７ｂと水密用パッキン９とは、外側から締結バンド１０を締め付けることによって、ケーブル保護管４に密着する。
【００７３】
筒状可とう体７の筒状体固定部７ａと管固定部７ｂとの間には、ケーブル保護管４の変位を吸収し易いように、蛇腹部７ｃを設けている。
【００７４】
ハンドホールの接続構造３の施工方法を説明する。本発明のハンドホール継手１は、図1のハンドホール構造体２の削孔された貫通孔部２ａに、まず、内側筒状体５がハンドホール構造体２の内側からより挿入する。その際に、内側筒状体５の内側フランジ部５ａが貫通孔部２ａの周辺の内壁面２ｂに当接する。
【００７５】
次に、外側筒状体６の外側フランジ部６ａにセットされた止水層８に連続した筒状可とう体７を、ハンドホール構造体２の外側より挿入する。この時、内側筒状体５のメネジ部５ｂに、外側筒状体６のオネジ部６ｂをネジ込むようにする。止水層８は、ネジ込み緊張により圧縮され、ハンドホール構造体２の外壁面２ｃに固定される。
【００７６】
この方法は、先に止水層８に連続した筒状可とう体７をセットした外側筒状体６をハンドホール構造体２の外側より挿入した後、ハンドホール構造体２の内側より内側筒状体５を挿入し、内側筒状体５を外側筒状体６にネジ込み固定する方法でも良い。
【００７７】
次に、ケーブル保護管４の所定の位置に、水密用パッキン９が取付けられた状態で、ケーブル保護管４を、ケーブル保護管４の先端部４ａがストッパー部５ｃに当たるまで、筒状可とう体７の管固定部７ｂの内側に挿入する。
【００７８】
この時、係止部５ｄが、ケーブル保護管４の凸部４ｂに係止され、ケーブル保護管４を固定できるようにする。
【００７９】
水密用パッキン９は、図５（ａ）及び（ｂ）に示すように、内周面９ａはケーブル保護管４の外周形状に密接する形状を有し、外周面９ｂは、筒状可とう体７の管固定部７ｂと接した状態で締め付けられるため、平滑な形状を有している。
【００８０】
水密用パッキン９は、筒状可とう体７の管固定部７ｂに位置付けする。水密用パッキン９の内周面９ａはケーブル保護管４の外側形状に密接させ、外周面９ｂは管固定部７ｂに当接した状態とする。管固定部７ｂを、外周面より締結バンド１０のフランジ間で締め付ける。
【００８１】
締結バンド１０は、図６（ａ）及び（ｂ）に詳細に示すように、フランジ１０ａ間のボルト１０ｂ及びナット１０ｃの締め付けにより縮径し、水密性を発揮するとともにケーブル保護管４を固定する。
【００８２】
本発明にかかる接続構造では、地盤沈下や地震等によるケーブル保護管の押込みや、抜け出し変位を低減することができる。
【００８３】
ケーブル保護管の押込み変位に対しては、内側筒状体のストッパー部により、変位が防止される。ケーブル保護管の抜出し変位に対しては、係止部により、変位が防止できる。
【００８４】
なお、係止部では、係止力以上の応力がかかると、ケーブル保護管の抜出し変位が発生するが、筒状可とう体、特に蛇腹部が伸長することにより、水密性を維持することができる。
【００８５】
特に図示してはいないが、本発明のハンドホール継手では、外側筒状体の外側フランジ部とハンドホール構造体の外壁面との間に止水層を設けることにより、外側筒状体と内側筒状体とがネジ込み等により締め付けられるに伴い、止水層がハンドホール構造体と外側フランジ部との間で十分な水密性を発揮することができる。
【００８６】
【発明の効果】
本発明のハンドホール継手は、内側筒状体と外側筒状体との係止による取り付けによって、従来のモルタル接合の作業性を改善し、また、筒状可とう体が、地盤沈下や地震等によるケーブル保護管の相対位置の変位に追従し、水密性を維持するので、接続構造のメンテナンスを容易にし、接続構造の使用寿命を永くすることができる。
【図面の簡単な説明】
【図１】  本発明の一例のハンドホール継手を用いた接続構造の縦断面図である。
【図２】  本発明にかかる一例の内側筒状体の部分縦断面図である。
【図３】  本発明にかかる一例の外側筒状体の部分縦断面図である。
【図４】  本発明にかかる一例の筒状可とう体の部分縦断面図である。
【図５】  （ａ）は本発明にかかる一例の水密用パッキンの部分縦断面図であり、（ｂ）は（ａ）の水密用パッキンの部分横断面図である。
【図６】  （ａ）は本発明にかかる一例の締結バンドの側面図であり、（ｂ）は（ａ）の締結バンドの正面図である。
【図７】  従来のケーブル保護管とハンドホール構造体との接続構造を示す斜視図である。
【図８】  図７の接続構造の部分的な縦断面図である。
【符号の説明】
１  ハンドホール継手
２，５２  ハンドホール構造体
２ａ  貫通孔部
２ｂ  内壁面
２ｃ  外壁面
３  接続構造
４，５３  ケーブル保護管
４ａ  先端部
４ｂ  凸部
５  内側筒状体
５ａ  内側フランジ部
５ｂ  メネジ部
５ｃ  ストッパー部
５ｄ  係止部
６  外側筒状体
６ｂ  オネジ部
６ａ  外側フランジ部
７  筒状可とう体
７ａ  筒状体固定部
７ｂ  管固定部
７ｃ  蛇腹部
８  止水層
８ａ  止水突起
９  水密用パッキン
９ａ  内周面
９ｂ  外周面
１０  締結バンド
１０ａ  フランジ
１０ｂ  ボルト
１０ｃ  ナット
５４  貫通孔
５５  モルタル
５６  ベルマウス５６
【図１】
0004428886.tif 000002
【図２】
0004428886.tif 000003
【図３】
0004428886.tif 000004
【図４】
0004428886.tif 000005
【図５】
0004428886.tif 000006
【図６】
0004428886.tif 000007
【図７】
0004428886.tif 000008
【図８】
0004428886.tif 000009